【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
台座とアームとが回動可能に枢着され、アームが倒伏姿勢と起立姿勢とに姿勢変姿することで受け部材に対して係脱可能に構成されたドアとドア枠に取付されるドアガードであって、前記台座には、アームを枢着するための軸孔と、アームの枢着側端部に設けられた当接面と対面する対応部位に形成された凹溝とがそれぞれ設けられ、該凹溝に前記当接面に面接して常時弾性的に押圧する押圧体を装着して、前記アームの倒伏姿勢と起立姿勢のそれぞれの姿勢を保持するよう構成すると共に、前記アームを台座に対して枢着するに、前記アームの枢着側に一体的に形成された枢軸を設け、前記枢軸を、前記台座に設けた軸孔に対して回動可能に挿入し、枢軸の挿入端側に抜け止め手段を設けることで枢支連結すべく構成したことを特徴とするドアガード。
【請求項２】
請求項１において、前記抜け止め手段を、前記アームと枢軸に跨って設けた通し孔と、該通し孔に挿入されて前記アーム側に達する長さを有したネジ、リベット等のビス部材とで構成したことを特徴とするドアガード。
【請求項３】
請求項１において、前記抜け止め手段を、枢軸の先端部に設けられ放射状に圧変可能なカシメ用突部で構成したことを特徴とするドアガード。
【請求項４】
請求項１乃至３の何れかにおいて、前記台座に設けられた軸孔とアームに設けられた枢軸とを、台座に枢軸を設けアームに軸孔を設けてそれぞれの配置構成を逆にすべく構成したことを特徴とするドアガード。
【請求項５】
請求項１において、前記枢軸を、前記台座の軸孔への挿入に際して、前記押圧体を押圧する押圧片と押圧体を前記当接面に誘導する案内片とに兼用すべく構成したことを特徴とするドアガード。
【請求項６】
台座とアームとが回動可能に枢着され、アームが倒伏姿勢と起立姿勢とに姿勢変姿することで受け部材に対して係脱可能に構成されたドアとドア枠に取付されるドアガードであって、前記台座には、アームの枢着側端部に形成された当接面と対面する対応部位に設けられた凹溝に、前記当接面に面接して常時弾性的に押圧する押圧体を設けて、アームの倒伏姿勢と起立姿勢のそれぞれの姿勢を保持するよう構成すると共に、前記押圧体を、前記アームの枢着側厚み面に面接する摺接面部と該摺接面部を弾性的に支持する断面Ｕ字状脚部とで中空一体形成し、該脚部が前記摺接面部のアームによる押圧に追随して前記凹溝内で湾曲変形可能に構成したことを特徴とするドアガード。
【請求項７】
請求項６において、前記押圧体のＵ字状脚部の底側頂部に固定片を設け、該固定片を、前記凹溝底部に設けた固定溝に対して嵌着し、前記脚部が固定片を中心としてアームによる摺接面部への偏圧変移に追随して変形すべく構成したことを特徴とするドアガード。
【請求項８】
台座とアームとが回動可能に枢着され、アームが倒伏姿勢と起立姿勢とに姿勢変姿することで受け部材に対して係脱可能に構成されたドアとドア枠に取付されるドアガードであって、前記台座には、アームの枢着側端部に形成された当接面と対面する対応部位に設けられた凹溝に、前記当接面に面接して常時弾性的に押圧する押圧体を設けて、アームの倒伏姿勢と起立姿勢のそれぞれの姿勢を保持するよう構成すると共に、前記アームの当接面を、起立姿勢では前記押圧体の押圧力が均等状になるよう略平行状態で面接する起立側面接面と、倒伏姿勢では前記押圧体の押圧力が倒伏側に偏圧するよう傾斜状態で面接する倒伏側当接面とで構成したことを特徴とするドアガード。
【請求項９】
請求項１乃至８の何れかにおいて、前記アームの当接面を、前記押圧体に面接するにあたり、倒伏姿勢と起立姿勢の変姿過程で、前記押圧体への押圧率が大きくなるよう、起立側面接面と倒伏側当接面との交差隅部を突出して構成したことを特徴とするドアガード。
【手続補正２】
【補正対象書類名】明細書
【補正対象項目名】０００６
【補正方法】変更
【補正の内容】
【０００６】
【課題を解決するための手段】
上記課題を解決するために本発明が採用した技術手段は、台座とアームとが回動可能に枢着され、アームが倒伏姿勢と起立姿勢とに姿勢変姿することで受け部材に対して係脱可能に構成されたドアとドア枠に取付されるドアガードであって、前記台座には、アームを枢着するための軸孔と、アームの枢着側端部に設けられた当接面と対面する対応部位に形成された凹溝とがそれぞれ設けられ、該凹溝に前記当接面に面接して常時弾性的に押圧する押圧体を装着して、前記アームの倒伏姿勢と起立姿勢のそれぞれの姿勢を保持するよう構成すると共に、前記アームを台座に対して枢着するに、前記アームの枢着側に一体的に形成された枢軸を設け、前記枢軸を、前記台座に設けた軸孔に対して回動可能に挿入し、枢軸の挿入端側に抜け止め手段を設けることで枢支連結すべく構成したことを特徴とするものである。
また、上記課題を解決するために本発明が採用した技術手段は、台座とアームとが回動可能に枢着され、アームが倒伏姿勢と起立姿勢とに姿勢変姿することで受け部材に対して係脱可能に構成されたドアとドア枠に取付されるドアガードであって、前記台座には、アームの枢着側端部に形成された当接面と対面する対応部位に設けられた凹溝に、前記当接面に面接して常時弾性的に押圧する押圧体を設けて、アームの倒伏姿勢と起立姿勢のそれぞれの姿勢を保持するよう構成すると共に、前記押圧体を、前記アームの枢着側当接面に面接する摺接面部と該摺接面部を弾性的に支持する断面Ｕ字状脚部とで中空一体形成し、該脚部が前記摺接面部のアームによる押圧に追随して前記凹溝内で湾曲変形可能に構成したことを特徴とするものである。
また、さらに上記課題を解決するために本発明が採用した技術手段は、台座とアームとが回動可能に枢着され、アームが倒伏姿勢と起立姿勢とに姿勢変姿することで受け部材に対して係脱可能に構成されたドアとドア枠に取付されるドアガードであって、前記台座には、アームの枢着側端部に形成された当接面と対面する対応部位に設けられた凹溝に、前記当接面に面接して常時弾性的に押圧する押圧体を設けて、アームの倒伏姿勢と起立姿勢のそれぞれの姿勢を保持するよう構成すると共に、前記アームの当接面を、起立姿勢では前記押圧体の押圧力が均等状になるよう略平行状態で面接する起立側面接面と、倒伏姿勢では前記押圧体の押圧力が倒伏側に偏圧するよう傾斜状態で面接する倒伏側当接面とで構成したことを特徴とするものである。
【手続補正３】
【補正対象書類名】明細書
【補正対象項目名】０００９
【補正方法】変更
【補正の内容】
【０００９】
そして、この倒伏側当接面２３と起立側面接面２４とは、両者の成す角度が９０度よりもやや鋭角となるよう前記倒伏側当接面２３を傾斜させ、その交差隅部が押圧体３への押圧率が大きくなるよう倒伏側当接面２３側に突出させた配置関係で凸部２５が形成されており、起立姿勢では、前記押圧体３の押圧力が均等状になるよう起立側面接面２４に対して略平行状態で面接し、倒伏姿勢では、前記押圧体の押圧力が倒伏側に偏圧するよう倒伏側当接面２３に対して傾斜状態で面接する構成となっている。
【手続補正４】
【補正対象書類名】明細書
【補正対象項目名】００１１
【補正方法】変更
【補正の内容】
【００１１】
図６及び７は、前記軸孔１１に挿入された枢軸２１の抜け止め手段の他の実施例を示すものであって、軸孔１１１と枢軸２１１とが前記軸孔１１と枢軸２１よりもそれぞれ大径に設定されており、枢軸２１１の先端部には、抜け止め手段としてのカシメ用突部５ａが設けられている。
そして、当該カシメ用突部５ａは、その中央頂部に逆三角錐形の溝部５ｂが設けられていて、前記枢軸２１１を軸孔１１１に挿入した後、ポンチ等の工具を用いて打撃することで放射状に圧変形させてカシメ、抜け止めが成されるようになっている。
６１はワッシャー，６２は滑りリングであって、該ワッシャー６１は前記カシメ用突部５ａをカシメた際その受け座となるものであり、滑りリング６２は枢軸２１１にはめ込まれて軸孔１１１との回動摩擦を軽減しスムーズに滑動させるものである。なお、このワッシャー６１および滑りリング６２は、本実施例に限らず前記軸孔１１と枢軸２１との枢着構造に採用できることは勿論であり、また両者６１，６２を一体的に形成しても良い。
【手続補正５】
【補正対象書類名】明細書
【補正対象項目名】００１３
【補正方法】変更
【補正の内容】
【００１３】
そして、この取付作業の後、前記枢軸２１の軸孔１１からの抜け止めは、前記アーム２と枢軸２１に跨って設けた通し孔２２に対して、アーム２と枢軸２１とに跨る長さを有する抜け止め手段としてのタッピングネジ５を拉着する構成となっているため、枢軸２１は、自身の強度とタッピングネジ５の強度との相乗作用により極めて強度性のあるものとすることができ、枢軸２１の軸径を殊更大きくする必要が無く、安価な市販ビスをそのまま使用することができるようになり、また、枢軸２１１のように中心に通し孔を設け無いようにして、抜け止め手段としてのカシメ用突部５ａを設けるようにすれば、上記のような通し孔２２の無い無垢の枢軸２１１自体の強度が得られることとなり、此又強度性を向上することができ、ドアが急激に開けられても、その衝撃に耐え得るものとすることが容易に行えるようになり、材料費の節約ができると共に、従来のように殊更別途ステンレス材による特殊加工部材である軸ピン２１ａを調達する必要が無く、しかも強度性が充分確保できる枢着構成とすることができ、部品点数の削減を図ることができる。
なお、これら抜け止め手段は上記に限定されるものではなく、例えば従来のＥ形リング２３ａのようなものであっても良く、要は枢軸２１が軸孔１１から外れてしまうことを規制することができる構成のものであればよい。また、枢軸２１と軸孔１１の関係を逆にする構成としても良く、その場合、アーム２側に設けた軸孔１１’を台座１側の枢軸２１’に取付けする際、押圧体３を薄板などを介してアーム当接面を滑らせて押圧体３に面接させる様な工夫を施せば良い。また、軸孔１１は凸型形状となっているが、従来の如く単に筒状の軸孔としても良いことは言うまでもない。
【手続補正６】
【補正対象書類名】明細書
【補正対象項目名】００１４
【補正方法】変更
【補正の内容】
【００１４】
前記押圧体３は、上部にアーム２の当接面２３，２４が面接しながら回動摺接する摺接面部３１と、該摺接面部３１を弾性的に支持する断面Ｕ字状脚部３２と、そのＵ字状脚部３２の底側頂部に固定片３３とを有し、硬質樹脂材料からなる中空押し出し成形により一体形成されているため、従来のように、凹溝１２ａ内にコイルスプリング３２ａを取着する作業や、さらにその上面に摺接ピース３１ａを載せる作業が不要となるばかりか、コイルスプリング３２ａ上に単に載せてあるだけの摺接ピース３１ａは、アーム２が台座１に取付けされる前にあっては、一寸した振動で前記コイルスプリング３２ａの中心から外れてしまったり、凹溝１２内で斜めになってしまったり、或いは外れてしまうことが無く、従って、部品点数の削減や部品管理の効率化が図れ、コストの軽減を図ることができ、かつ、アーム２を台座１に取付けする作業性向上に寄与するものである
また、前記凹溝１２内に装着された押圧体３は、Ｕ字状脚部３２下面頂部に設けられた固定片３３だけが、前記凹溝１２底部に設けた固定溝１２１に対して嵌着されているだけなので、押圧体３本体が前記凹溝１２内で遊嵌状態で揺動可能な構成となっており、Ｕ字状脚部３２は固定片３３を中心としてアーム２の当接面２３，２４による摺接面部３１への偏圧変移に追随して、Ｕ字状脚部３２のそれぞれの脚部が凹溝１２内の底部隅部に形成される隙間空間で弾性変形し、従来のコイルスプリング３２ａに比し、当接面２３，２４側への弾性反発力が一方向に偏ってしまうことがなく、バランス良く押圧することができる。
【手続補正７】
【補正対象書類名】明細書
【補正対象項目名】００１５
【補正方法】変更
【補正の内容】
【００１５】
また、アーム２の押圧体３との当接面は、倒伏側当接面２３と起立側面接面２４との両者の成す角度が、９０度よりもやや鋭角となるよう前記倒伏側当接面２３を傾斜させ、その交差隅部が押圧体３への押圧率が大きくなるよう倒伏側当接面２３側に突出させた配置関係で凸部２５が形成されている。
このため、アーム２の起立姿勢では、前記押圧体３の押圧力が均等状になるよう起立側面接面２４に対して略平行状態で面接し、倒伏姿勢では、前記押圧体の押圧力が倒伏側に偏圧するよう倒伏側当接面２３に対して傾斜状態で面接する構成となり、特に、ここでいう倒伏姿勢とは、閉戸状態にあるドアが開戸された場合にアーム２の係止片２ａに受け部材４が確実に係合するための施錠待機姿勢を意味し、起立姿勢とはこの施錠姿勢を意味するものであって、前記施錠待機姿勢が不用意に解離されないよう、更にアーム２を倒伏側へ押圧体３の弾性反発力が加わるよう作用させることができ、より確実な施錠待機姿勢が確保できるものである。
さらに、上記凸部２５の存在により、アーム２の姿勢変姿過程で押圧体３が大きく押圧され、凸部２５の移動軌跡が、押圧体３の摺接面部３１と枢軸２１の軸芯とが垂直となる位置を越えたときに、押圧体３の弾性反発力が大きく作用し、変姿完了姿勢へ小気味よくスムーズに移行することができる。
なお、本実施例では、図１０に示す内開き式扉に採用した場合の倒伏姿勢と起立姿勢の形態を示したが、外開き式扉にあっては起立姿勢が施錠待機姿勢となるため、起立側面接面２４を傾斜状態にし倒伏側当接面２３を平行状態としても良く、また、扉の内開き式、外開き式の勝手違いに対応できるよう両当接面２３，２４を傾斜させても良く、さらに、この様な傾斜面を設けることで凸部２５を形成させたが、これに限定されるものではなく、単に交差隅部を突出させて形成したものであっても良いことは勿論である。
【手続補正８】
【補正対象書類名】明細書
【補正対象項目名】００１６
【補正方法】変更
【補正の内容】
【００１６】
【発明の効果】
本発明は、台座１の軸孔１１に挿入される枢軸２１が設けられているので、台座１とアーム２の組付を回動自在に枢着させる構成のものでありながら、枢軸２１と押圧体３との共同作用により枢軸２１を軸孔１１に挿入するだけのワンタッチで組立作業を行うことができ、従来のような台座１とアーム２の軸孔１１ａ，２２ａ同士の軸芯を一致させる作業工程や、軸孔１１ａ，２２ａへの軸ピン２１ａの挿入工程が一切不要となり、作業工数を削減し得て省力化が図れるばかりか、殊更別途ステンレス材による特殊加工部材である軸ピン２１ａを調達する必要が無く、強度性が充分確保できる枢着構成とすることができ、また、押圧体３は、摺接面部３１とＵ字状脚部３２とが一体的に形成されているため、従来のようなコイルスプリング３２ａ部材を不要とし、取付作業の手間を省略し得て、部品点数の削減を図ることができ、しかも、押圧体３は、アーム２の当接面に対しその弾性反発力を一方向に偏ってしまうことなくバランス良く伝搬することができ、施錠待機姿勢では、施錠姿勢側とは逆方に押圧体３が押圧作用するため、不用意に施錠待機姿勢が解離されてしまうことが防止され、もって、作業性の向上と製品自体をトータル的に安価なものとすることができ、かつ、アームの施錠解錠の操作性を向上することができるものである。